(57)【要約】【課題】  濾過効率を向上させ得ると共に厚さ方向の小型化を図ることができるフィルタを提供する。【解決手段】  本フィルタ１Ａは、互いに突き合されて濾過室Ｓを形成する、流入口５を有する第１ケース部材２及び流出口６を有する第２ケース部材３と、濾過室内に収容されるフィルタエレメント４と、を備え、第１ケース部材及び第２ケース部材のうちの少なくとも一方のケース部材２の内表面側には、濾過室内で濾過前の流体をフィルタエレメントの平面方向に分散させるための突起部８が設けられている。【選択図】  図２
2007152233.tif 000002
【特許請求の範囲】
【請求項１】
互いに突き合されて濾過室を形成する、流入口を有する第１ケース部材及び流出口を有する第２ケース部材と、
前記濾過室内に収容されるフィルタエレメントと、を備え、
前記第１ケース部材及び前記第２ケース部材のうちの少なくとも一方のケース部材の内表面側には、前記濾過室内で濾過前の流体を前記フィルタエレメントの平面方向に分散させるための突起部が設けられていることを特徴とするフィルタ。
【請求項２】
前記突起部は、前記第１ケース部材及び前記第２ケース部材のうちの少なくとも前記第１ケース部材に設けられている請求項１記載のフィルタ。
【請求項３】
前記突起部は、前記一方のケース部材の平面視にて前記流入口及び前記流出口を結ぶ直線上に配設されている請求項１又は２に記載のフィルタ。
【請求項４】
前記突起部は、前記一方のケース部材の前記流入口又は前記流出口の近傍に配設されている請求項３記載のフィルタ。
【請求項５】
前記突起部は、前記一方のケース部材の前記流入口又は前記流出口の開口幅より大きな横幅（ｗ２）を有している請求項３又は４に記載のフィルタ。
【請求項６】
前記突起部には、前記流入口及び前記流出口を結ぶ直線方向に沿って延びる案内溝及び／又は案内片が設けられている請求項１乃至５のいずれか一項に記載のフィルタ。
【請求項７】
前記突起部には、前記流入口又は前記流出口から放射状に延びる複数の案内溝及び／又は案内片が設けられている請求項１乃至５のいずれか一項に記載のフィルタ。
【請求項８】
前記突起部は、塊状又は板状を有している請求項１乃至７のいずれか一項に記載のフィルタ。
【請求項９】
前記フィルタエレメントはひだ折り状に形成されており、前記突起部の突起端側が該フィルタエレメントの谷部に挿入されている請求項１乃至８のいずれか一項に記載のフィルタ。
【発明の詳細な説明】
【技術分野】
【０００１】
本発明は、フィルタに関し、さらに詳しくは、濾過効率を向上させ得ると共に厚さ方向の小型化を図ることができるフィルタに関する。
【背景技術】
【０００２】
従来より、自動変速機用のオイルフィルタとして、第１ケース部材及び第２ケース部材を突き合わせて形成される濾過室内に、フィルタエレメントを収納してなるものが知られている（例えば、特許文献１参照）。
【０００３】
上記特許文献１には、割り片５，６（ケース部材）の内表面側に、流出口６ａを中心として放射状に延びる起立壁１２，１３を設けることが開示されている。
しかし、上記特許文献１では、流入口５ａから流入されるオイルが起立壁１２，１３によって流出口６ａに向って収束するように案内されるので、オイルは、主に流入口５ａ及び流出口６ａを結ぶ直線付近の濾材９で集中的に濾過されることとなり、濾材表面のオイル濾過部が限定されてしまい濾過効率が悪いといった問題があった。
そこで、上記問題を解決するために、濾材表面とケース部材の内表面との隙間を広くしてオイルを流れ易くすることが考えられるが、この場合、フィルタ全体が厚み方向に大型化してしまうといった問題があった。
【０００４】
【特許文献１】特開２００４−３５３７８３号公報
【発明の開示】
【発明が解決しようとする課題】
【０００５】
以上より本発明は、上記現状に鑑みてなされたものであり、濾過効率を向上させ得ると共に厚さ方向の小型化を図ることができるフィルタを提供することを目的とする。
【課題を解決するための手段】
【０００６】
本発明は、以下の通りである。
１．互いに突き合されて濾過室を形成する、流入口を有する第１ケース部材及び流出口を有する第２ケース部材と、
前記濾過室内に収容されるフィルタエレメントと、を備え、
前記第１ケース部材及び前記第２ケース部材のうちの少なくとも一方のケース部材の内表面側には、前記濾過室内で濾過前の流体を前記フィルタエレメントの平面方向に分散させるための突起部が設けられていることを特徴とするフィルタ。
２．前記突起部は、前記第１ケース部材及び前記第２ケース部材のうちの少なくとも前記第１ケース部材に設けられている上記１．記載のフィルタ。
３．前記突起部は、前記一方のケース部材の平面視にて前記流入口及び前記流出口を結ぶ直線上に配設されている上記１．又は２．に記載のフィルタ。
４．前記突起部は、前記一方のケース部材の前記流入口又は前記流出口の近傍に配設されている上記３．記載のフィルタ。
５．前記突起部は、前記一方のケース部材の前記流入口又は前記流出口の開口幅より大きな横幅（ｗ２）を有している上記３．又は４．に記載のフィルタ。
６．前記突起部には、前記流入口及び前記流出口を結ぶ直線方向に沿って延びる案内溝及び／又は案内片が設けられている上記１．乃至５．のいずれか一項に記載のフィルタ。
７．前記突起部には、前記流入口又は前記流出口から放射状に延びる複数の案内溝及び／又は案内片が設けられている上記１．乃至５．のいずれか一項に記載のフィルタ。
８．前記突起部は、塊状又は板状を有している上記１．乃至７．のいずれか一項に記載のフィルタ。
９．前記フィルタエレメントはひだ折り状に形成されており、前記突起部の突起端側が該フィルタエレメントの谷部に挿入されている上記１．乃至８．のいずれか一項に記載のフィルタ。
【発明の効果】
【０００７】
本発明のフィルタによると、少なくとも一方のケース部材の内表面側に設けられた突起部によって、濾過室内で濾過前の流体がフィルタエレメントの平面方向に分散されてフィルタエレメントの全面域で略均等に濾過される。これにより、フィルタエレメントの表面とケース部材の内表面との隙間を比較的小さくしてフィルタの厚さ方向の小型化を図っても、効率良く濾過することができる。
また、前記突起部が、少なくとも前記第１ケース部材に設けられている場合は、濾過前の流体が第１ケース部材の突起部によって直接的に分散されてフィルタエレメントの全面域で更に均等に濾過される。
また、前記突起部が、前記一方のケース部材の平面視にて前記流入口及び前記流出口を結ぶ直線上に配設されている場合は、流体をより確実且つ広範囲に分散させることができる。
また、前記突起部が、前記一方のケース部材の前記流入口又は前記流出口の近傍に配設されている場合は、流体をより確実且つ広範囲に分散させることができる。
また、前記突起部が、前記一方のケース部材の前記流入口又は前記流出口の開口幅より大きな横幅を有している場合は、流体をより確実且つ広範囲に分散させることができる。
また、前記突起部に、前記流入口及び前記流出口を結ぶ直線方向に沿って延びる案内溝及び／又は案内片が設けられている場合は、案内溝及び／又は案内片によって流体の一部が直線方向に案内され、流体をより確実且つ広範囲に分散させることができる。
また、前記突起部に、前記流入口又は前記流出口から放射状に延びる複数の案内溝及び／又は案内片が設けられている場合は、案内溝及び／又は案内片によって流体の一部が放射状に案内され、流体をより確実且つ広範囲に分散させることができる。
また、前記突起部が、塊状又は板状を有している場合は、各種の特定形状の突起部によって流体をより好適に分散できる。
また、前記フィルタエレメントがひだ折り状に形成されており、前記突起部の突起端側が該フィルタエレメントの谷部に挿入されている場合は、突起部によって、流体を分散させ得ると共に流体圧力によるフィルタエレメントの座屈、変形等を抑制できる。
【発明を実施するための最良の形態】
【０００８】
フィルタ
本実施形態に係るフィルタは、以下に述べる第１ケース部材、第２ケース部材及びフィルタエレメントを備えている。
【０００９】
上記「第１ケース部材」及び「第２ケース部材」は、互いに突き合されて濾過室を形成し得る限り、その形状、大きさ、材質等は特に問わない。この第１ケース部材は流出口を有しており、第２ケース部材は流出口を有している。また、第１ケース部材及び第２ケース部材の形状としては、例えば、皿状、椀状、平板状等を挙げることができる。
なお、上記第１ケース部材及び第２ケース部材のうちの一方のケース部材がレーザ透過性を有し、他方のケース部材がレーザ吸収性を有することができる。
【００１０】
上記第１ケース部材及び第２ケース部材のうちの少なくとも一方のケース部材の内表面側には１又は２以上の突起部が設けられている。流体の分散性といった観点から、突起部が少なくとも第１ケース部材に設けられていることが好ましい。
なお、上記流出口を有する第２ケース部材に突起部が設けられている場合、その突起部によって濾過室内でフィルタエレメントによる濾過後の流体が直接的にフィルタエレメントの平面方向に分散され、その濾過後の流体の分散によって濾過前の流体が間接的にフィルタエレメントの平面方向に分散されてその濾過面積が広げられることとなる。
【００１１】
上記「突起部」は、濾過室内で濾過前の流体をフィルタエレメントの平面方向に分散させ得る限り、その形状、大きさ、配設形態等は特に問わない。この突起部の配設形態（位置、個数等）、突起高さ（ｈ）、縦幅（ｗ１）、横幅（ｗ２）、フィルタエレメント表面との隙間（ｌ）等を適宜選択することによって分散効果が調整されることとなる（図２及び３等参照）。
【００１２】
上記突起部は、例えば、一方のケース部材の平面視にて流入口及び流出口を結ぶ直線上に配設されていることができる。この場合、上記突起部が、一方のケース部材の流入口又は流出口の近傍に少なくとも配設されていることが好ましい。特に、上記突起部が、一方のケース部材の流入口又は流出口の開口幅より大きな横幅（ｗ２；流入口及び流出口を結ぶ直線と直交する方向の幅）を有することが好ましい。
上記突起部は、例えば、一方のケース部材の平面視にて流入口及び流出口を結ぶ直線上に沿って所定間隔で複数配設されていることができる。これにより、フィルタエレメントの濾過面積が大きな場合でも良好な流体の分散性を発揮できる。
【００１３】
上記突起部の突起端側には、例えば、流入口及び流出口を結ぶ直線方向に沿って延びる案内溝及（１０）び／又は案内片を設けることができる（図２等参照）。この案内溝及び案内片の形状、大きさ、個数等は特に問わず、流体の分散効果に応じて適宜選択できる。
上記突起部の突起端側には、例えば、流入口又は流出口から放射状に延びる複数の案内溝（１５）及び／又は案内片（１９）を設けることができる（図９及び１２等参照）。この案内溝及び案内片の形状、大きさ、個数等は特に問わず、流体の分散効果に応じて適宜選択できる。
【００１４】
上記突起部の形状としては、例えば、塊状、板状、異形状等を挙げることができる。この塊状の突起部の横断面形状としては、例えば、多角形状、矩形状、円形状、楕円形状等のうちの１種又は２種以上の組み合わせを挙げることができる。また、塊状の縦断面形状としては、例えば、多角形状、矩形状、半円形状、半楕円形状等のうちの１種又は２種以上の組み合わせを挙げることができる。また、板状の突起部の横断面形状としては、例えば、棒状、Ｖ字状、Ｌ字状等を挙げることができる。さらに、上記突起部の隅角側には、例えば、Ｒ等の面取りを施すことができる。
【００１５】
上記「フィルタエレメント」（以下、単に「エレメント」とも記載する。）は、上記濾過室内に収容される限り、その形状、大きさ、材質等は特に問わない。このエレメントの形状としては、例えば、ひだ折り状、シート状、波状等を挙げることができる。ひだ折り状のエレメントとしては、例えば、（１）多数のひだ折り状部を有するエレメント本体からなる形態、（２）多数のひだ折状部を有するエレメント本体と、このエレメント本体を保持する保持枠とからなる形態等を挙げることができる。また、上記エレメントの材質としては、例えば、不織布、織物、紙等を挙げることができる。なお、上記エレメントは、例えば、レーザ透過性を有していてもよいし、レーザ吸収性を有していてもよい。
【００１６】
上記フィルタエレメントがひだ折り状に形成されている場合、例えば、上記突起部の突起端側をフィルタエレメントの谷部に挿入させることができる（図８参照）。
【００１７】
上記フィルタエレメントがひだ折り状に形成されている場合、例えば、上記第１及び第２ケース部材の各突合せ端部には、フィルタエレメントの周縁部のひだ折り状部（４ａ）を上下方向から挟持するくし歯状部（２０）を設けることができる（図１５等参照）。これにより、フィルタエレメントの座屈、変形等をより確実に抑制できる。この場合、一方のケース部材がレーザ吸収性樹脂からなり、その一方のケース部材のくし歯状部とフィルタエレメントとの間に、レーザ光によるエレメント用溶着部を設けることが好ましい。このエレメント用溶着部によって一方のケース部材とフィルタエレメントとが強固に溶着され、フィルタ使用時に濾過室内に過大な内圧がかかってもフィルタエレメントが第１及び第２ケース部材の間から抜けてしまうことを抑制できるためである。
【００１８】
ここで、例えば、上記フィルタエレメントは、前記第１ケース部材及び前記第２ケース部材のそれぞれの突合せ端部の間に挟持されており、レーザ吸収性樹脂からなる一方のケース部材（第１ケース部材又は第２ケース部材）の突合せ端部と前記フィルタエレメントとの接触部にはレーザ光によるエレメント用溶着部（Ｗ１）を設けることができる（図１７参照）。これにより、エレメント用溶着部によって一方のケース部材とフィルタエレメントとが強固に溶着され、フィルタ使用時に濾過室内に過大な内圧がかかってもフィルタエレメントが第１及び第２ケース部材の間から抜けてしまうことを抑制できる。また、上記エレメント用溶着部は、濾過室から外方に十分に離れて配設されており、レーザ光の出力等によってエレメント用溶着部の付近で溶着バリ等の異物が発生しても、その異物が、一方のケース部材及びフィルタエレメントの当接面間を通って濾過室内に侵入することを抑制できる。
【００１９】
上記エレメント用溶着部（Ｗ１）を設ける場合、例えば、レーザ吸収性樹脂からなる一方のケース部材（第１ケース部材又は第２ケース部材）の前記フィルタエレメントの外端部と接触する表面側には切欠部（２１）が設けられており、該切欠部の空間内には前記フィルタエレメントの外端部の一部（４ｂ）が配設されており、少なくとも該フィルタエレメントの外端部の一部は、レーザ光による上記エレメント用溶着部（Ｗ１）を構成していることができる（図１７参照）。これにより、フィルタ使用時に濾過室内に過大な内圧がかかっても、そのエレメント用溶着部を構成するフィルタエレメントの外端部がケース部材の角部に引っ掛って、フィルタエレメントの抜けをより確実に抑制できる。
【００２０】
上記エレメント用溶着部（Ｗ１）を設ける場合、例えば、レーザ透過性樹脂からなる他方のケース部材（第２ケース部材又は第１ケース部材）は、突合せ方向に沿って延び且つレーザ吸収性樹脂からなる一方のケース部材（第１ケース部材又は第２ケース部材）の突合せ端部に当接する外壁部（２２）を有しており、前記外壁部と一方のケース部材の突合せ端部との当接部にはレーザ光によるケース用溶着部（Ｗ２）を設けることができる（図１８参照）。これにより、エレメント用溶着部によって第２ケース部材及びフィルタエレメントが溶着されると共に、ケース用溶着部によって第１ケース部材及び第２ケース部材が溶着される。従って、第１ケース部材、第２ケース部材及びフィルタエレメントの３部材を強固に一体化できる。
【実施例】
【００２１】
以下、図面を用いて実施例１〜４により本発明を具体的に説明する。なお、本実施例１〜４では、本発明に係る「フィルタ」として、車両の自動変速機用オイルフィルタを例示する。
【００２２】
（実施例１）
本実施例１に係るフィルタ１Ａは、図１に示すように、互いに突き合されて濾過室Ｓを形成する矩形皿状の樹脂製の上部ケース部材２（本発明に係る「第１ケース部材」として例示する。）及び下部ケース部材３（本発明に係る「第２ケース部材」として例示する。）と、これら各ケース部材２，３の間に挟持されるひだ折り状のフィルタエレメント４（以下、単に「エレメント」とも記載する。）と、を備えている。この上部ケース部材２には、図２に示すように、汚染されたオイルの流入口５が形成され、下部ケース部材３には、エレメント４により濾過されたオイルの流出口６が形成されている。
尚、本フィルタの車両搭載時には、流入口５が下側、流出口６が上側に配設され、図示しないポンプによりオイルが流出口６から吸い上げられる。
【００２３】
上部及び下部ケース部材２，３の各内表面側には、図２に示すように、濾過室Ｓ内で濾過前のオイルをエレメント４の平面方向に分散させるための角塊状の凸状部８，９（本発明に係る「突起部」として例示する。）が設けられている。この凸状部８は、図３に示すように、上部ケース部材２の平面視にて流入口５及び流出口６を結ぶ直線上において流入口５の近傍に配設されている。また、上記凸状部９は、図４に示すように、下部ケース部材３の平面視にて流入口５及び流出口６を結ぶ直線上において流出口６の近傍に配設されている。これら各凸状部８，９の配設部位は、エレメント４に対する流入オイルの圧力が他の部位に比べて高い位置である。
【００２４】
上記各凸状部８，９の横幅ｗ２は、流入口５又は流出口６の開口幅より大きな値に設定されている（図３及び４参照）。また、各凸状部８，９の突起端側には、流入口５又は流出口６を結ぶ直線方向に沿って延びる複数（図中２本）の案内溝１０が形成されている。
【００２５】
次に、上記実施例１に係るフィルタ１Ａの作用について説明する。
流入口５からフィルタ１Ａ内に流入されるオイルは、その大部分が凸状部８によってエレメント４の平面方向に分散されると共に、その一部が案内溝１０を介して直線方向に案内される。その結果、流入されるオイルはエレメント４の全面域に対して略均等に行き渡りエレメント４で濾過される。そして、濾過後のオイルは、その大部分が凸状部９によってエレメント４の平面方向に分散されると共に、その一部が案内溝１０を介して直線方向に案内され、流出口６から流出されることとなる。
【００２６】
なお、上記凸状部８，９の配設形態（位置、個数等）、高さｈ、縦幅ｗ１、横幅ｗ２、フィルタエレメント表面との隙間ｌ等を適宜選択することによってオイルの分散効果を調整できる（図２〜４参照）。また、上記案内溝１０の配設形態（位置、個数等）、溝深さ、幅、長さ等を適宜選択することによってオイルの分散効果を調整できる。
【００２７】
（実施例２）
次に、本実施例２に係るフィルタ１Ｂについて説明する。
なお、本実施例２のフィルタ１Ｂにおいて、上記実施例１のフィルタ１Ａと同じ構成部位には同符号を付け詳説は省略する。
【００２８】
上記フィルタ１Ｂでは、図５に示すように、上部及び下部ケース部材２，３の各内表面側には、濾過室Ｓ内で濾過前のオイルをエレメント４の平面方向に分散させるための平板状の邪魔板１１ａ〜１１ｃ，１２ａ〜１２ｃ（本発明に係る「突起部」として例示する。）が形成されている。この邪魔板１１ａ〜１１ｃは、図６に示すように、上部ケース部材２の平面視にて流入口５及び流出口６を結ぶ直線上に沿って所定間隔で複数配設されている。また、上記邪魔板１２ａ〜１２ｃは、図７に示すように、下部ケース部材３の平面視にて流入口５及び流出口６を結ぶ直線上に沿って所定間隔で複数配設されている。これら各邪魔板１１ａ〜１１ｃ，１２ａ〜１２ｃの配設部位は、エレメント４に対する流入オイルの圧力が他の部位に比べて高い位置である。
【００２９】
上記各邪魔板１１ａ〜１１ｃ，１２ａ〜１２ｃのうちの流入口５又は流出口６の近傍に配設される各邪魔板１１ａ，１２ａの横幅ｗ２は、流入口５又は流出口６の開口幅より大きな値に設定されている（図６及び７参照）。また、中間の邪魔板１１ｂ，１２ｂは、その横幅方向に所定間隔で一対設けられている。
【００３０】
次に、上記実施例２に係るフィルタ１Ｂの作用について説明する。
流入口５からフィルタ１Ｂ内に流入されるオイルは、各邪魔板１１ａ〜１１ｃによってエレメント４の平面方向に分散され、エレメント４の全面域に対して略均等に行き渡りエレメント４で濾過される。そして、濾過後のオイルは、各邪魔板１２ａ〜１２ｃによってエレメント４の平面方向に分散され、流出口６から流出されることとなる。
【００３１】
なお、上記邪魔板１１ａ〜１１ｃ，１２ａ〜１２ｃの配設形態（位置、個数等）、高さｈ、縦幅ｗ１、横幅ｗ２、フィルタエレメント表面との隙間ｌ等を適宜選択することによってオイルの分散効果を調整できる（図５〜７参照）。また、図８に示すように、上記邪魔板１１ａ〜１１ｃ，１２ａ〜１２ｃの先端側をエレメント４の谷部に挿入させるようにしてもよい。これにより、邪魔板１１ａ〜１１ｃ，１２ａ〜１２ｃに、オイルの分散機能を持たせると共に、オイル圧力によるエレメント４の座屈、変形の抑制機能を持たせることができる。
【００３２】
（実施例３）
次に、本実施例３に係るフィルタ１Ｃについて説明する。
なお、本実施例３のフィルタ１Ｃにおいて、上記実施例１のフィルタ１Ａと同じ構成部位には同符号を付け詳説は省略する。
【００３３】
上記フィルタ１Ｃでは、図９に示すように、上部及び下部ケース部材２，３の各内表面側には、濾過室Ｓ内で濾過前のオイルをエレメント４の平面方向に分散させるための丸塊状の隆起部１３，１４（本発明に係る「突起部」として例示する。）が形成されている。この隆起部１３は、図１０に示すように、上部ケース部材２の平面視にて流入口５及び流出口６を結ぶ直線上に配設されている。また、上記隆起部１４は、図１１に示すように、下部ケース部材３の平面視にて流入口５及び流出口６を結ぶ直線上に配設されている。これら各隆起部１３，１４は、その横断面形状が略楕円形状であり、その縦断面形状が略半円形状とされている。また、各隆起部１３，１４の配設部位は、エレメントに対する流入オイルの圧力が他の部位に比べて高い位置である。
【００３４】
上記各隆起部１３，１４の最大横幅ｗ２は、流入口５又は流出口６の開口幅より大きな値に設定されている（図１０及び１１参照）。また、各隆起部１３，１４の突起端側には、流入口５又は流出口６から放射状に延びる複数（図中３本）の案内溝１５が形成されている。
【００３５】
次に、上記実施例３に係るフィルタ１Ｃの作用について説明する。
流入口５からフィルタ１Ｃ内に流入されるオイルは、その大部分が隆起部１３によってエレメント４の平面方向に分散されると共に、その一部が案内溝１５を介して放射方向に案内される。その結果、流入されるオイルはエレメント４の全面域に対して略均等に行き渡りエレメント４で濾過される。そして、濾過後のオイルは、その大部分が隆起部１４によってエレメント４の平面方向に分散されると共に、その一部が案内溝１５を介して放射方向に案内され、流出口６から流出されることとなる。
【００３６】
なお、上記隆起部１３，１４の配設形態（位置、個数等）、高さｈ、縦幅ｗ１、横幅ｗ２、フィルタエレメント表面との隙間ｌ等を適宜選択することによってオイルの分散効果を調整できる（図９〜１１参照）。また、上記案内溝１５の配設形態（位置、個数等）、溝深さ、幅、長さ等を適宜選択することによってオイルの分散効果を調整できる。
【００３７】
（実施例４）
次に、本実施例４に係るフィルタ１Ｄについて説明する。
なお、本実施例４のフィルタ１Ｄにおいて、上記実施例１のフィルタ１Ａと同じ構成部位には同符号を付け詳説は省略する。
【００３８】
上記フィルタ１Ｄでは、図１２に示すように、上部及び下部ケース部材２，３の各内表面側には、濾過室Ｓ内で濾過前のオイルをエレメント４の平面方向に分散させるための角塊状の隆起部１７，１８（本発明に係る「突起部」として例示する。）が形成されている。この隆起部１７は、図１３に示すように、上部ケース部材２の平面視にて流入口５及び流出口６を結ぶ直線上に配設されている。また、この隆起部１８は、図１４に示すように、下部ケース部材３の平面視にて流入口５及び流出口６を結ぶ直線上に配設されている。これら各隆起部１７，１８は、その横断面形状が略ひし形状であり、その縦断面形状が略台形状とされている。また、各隆起部１７，１８の配設部位は、エレメント４に対する流入オイルの圧力が他の部位に比べて高い位置である。
【００３９】
上記各隆起部１７，１８の最大横幅ｗ２は、流入口５又は流出口６の開口幅より大きな値に設定されている（図１３及び１４参照）。また、各隆起部１７，１８の突起端側には、流入口５又は流出口６から放射状に延びる複数（図中６本）の案内片１９が形成されている。
【００４０】
次に、上記実施例４に係るフィルタ１Ｄの作用について説明する。
流入口５からフィルタ１Ｄ内に流入されるオイルは、その大部分が隆起部１７によってエレメント４の平面方向に分散されると共に、その一部が案内片１９を介して放射方向に案内される。その結果、流入されるオイルはエレメント４の全面域に対して略均等に行き渡りエレメント４で濾過される。そして、濾過後のオイルは、その大部分が隆起部１８によってエレメント４の平面方向に分散されると共に、その一部が案内片１９を介して放射方向に案内され、流出口６から流出されることとなる。
【００４１】
なお、上記隆起部１７，１８の配設形態（位置、個数等）、高さｈ、縦幅ｗ１、横幅ｗ２、フィルタエレメント表面との隙間ｌ等を適宜選択することによってオイルの分散効果を調整できる（図１２〜１４参照）。また、上記案内片１９の配設形態（位置、個数等）、片高さ、幅、長さ等を適宜選択することによってオイルの分散効果を調整できる。
【００４２】
（実施例の効果）
上記実施例１〜４のフィルタによると、上部ケース部材２の内表面側に設けられた突起部（凸状部８、邪魔板１１ａ〜１１ｃ、隆起部１３、隆起部１７）によって、濾過室Ｓ内で濾過前のオイルがエレメント４の平面方向に分散され、エレメント４の全面域で略均等に濾過される。これにより、エレメント４の表面とケース部材２，３の内表面との隙間を比較的小さくしてフィルタ１Ａ〜１Ｄの厚さ方向の小型化を図っても、効率良く濾過することができる。
また、上記実施例１〜４では、下部ケース部材３の内表面側に突起部（凸状部９、邪魔板１２ａ〜１２ｃ、隆起部１４、隆起部１８）を設けたので、この突起部によって濾過後のオイルを分散させることによって、濾過前のオイルの分散性をより高めることができる。また、突起部をエレメント４の表面に接触又は近接させることによって、オイル圧力によるエレメント４の座屈、変形を抑制できる。
また、上記実施例１〜４では、流入口５（又は流出口６）の開口幅より大きな横幅ｗ２を有する突起部を、上部ケース部材２（又は下部ケース部材３）の平面視にて流入口５及び流出口６を結ぶ直線上で流入口５（又は流出口６）の近傍に配設したので、オイルをより確実且つ広範囲に分散させることができる。
また、上記実施例１では、凸状部８，９に直線状の案内溝１０を形成したので、オイルをより確実且つ広範囲に分散させることができる。
また、上記実施例３では、隆起部１３，１４に放射状の複数の案内溝１５を設けたので、オイルをより確実且つ広範囲に分散させることができる。
また、上記実施例４では、隆起部１７，１８に放射状の複数の案内片１９を設けたので、オイルをより確実且つ広範囲に分散させることができる。
【００４３】
尚、本発明においては、上記実施例に限られず、目的、用途に応じて本発明の範囲内で種々変更した実施例とすることができる。即ち、上記実施例１〜４では、上部ケース部材２に流入口５を形成すると共に下部ケース部材３に流出口６を形成するようにしたが、これに限定されず、例えば、上部ケース部材２に流出口６を形成すると共に下部ケース部材３に流入口５を形成するようにしてもよい。
【００４４】
また、上記実施例１〜４では、上部及び下部ケース部材２，３の両部材に同じ構造の突起部を設けるようにしたが、これに限定されず、例えば、上部及び下部ケース部材２，３の両部材に異なる構造の突起部を設けるようにしてもよい。
また、上記実施例１〜４では、上部及び下部ケース部材２，３の両部材に突起部を設けるようにしたが、これに限定されず、例えば、上部ケース部材２のみに突起部を設けたり、下部ケース部材３のみに突起部を設けたりしてもよい。
また、上記実施例１〜４では、ケース部材２，３に一体成形される突起部を例示したが、これに限定されず、例えば、ケース部材とは別物の突起部をケース部材に後付けするようにしてもよい。
【００４５】
また、上記実施例１〜４において、図１５及び１６に示すように、各ケース部材２，３の突合せ端部２ａ，３ａにくし歯状部２０を形成するようにしてもよい。これにより、各ケース部材２，３のくし歯状部２０の間にエレメント４の周縁部のひだ折り状部４ａが挟持され、オイル圧力によるエレメント４の座屈、変形をより確実に防止できる。この場合、レーザ吸収性樹脂からなるケース部材３（又はケース部材２）のくし歯状部２０の外側面に向って側方からレーザ光を照射して、そのくし歯状部２０及びエレメント４の接触部の外側面側にエレメント用溶着部を形成すれば、オイル圧力によるエレメントの抜けを抑制できる。
【００４６】
また、上記実施例１〜４において、図１７及び１８に示すように、レーザ吸収性樹脂からなる下部ケース部材３（又は上部ケース部材２）の突合せ端部３ａ（又は突合せ端部２ａ）とエレメント４との接触部の外側面側に、その突合せ端部３ａの先端外角側に向かって側方から照射されるレーザ光Ｌ１によるエレメント用溶着部Ｗ１を設けるようにしてもよい。これにより、エレメント用溶着部Ｗ１によって下部ケース部材３とエレメント４とが強固に溶着され、フィルタ使用時に濾過室Ｓ内に過大な内圧がかかってもエレメント４が上部及び下部ケース部材２，３の間から抜けてしまうことを抑制できる。また、上記エレメント用溶着部Ｗ１は、濾過室Ｓから外方に十分に離れて配設されており、レーザ光Ｌ１の出力等によってエレメント用溶着部Ｗ１の付近で溶着バリ等の異物が発生しても、その異物が、下部ケース部材３及びエレメント４の当接面間を通って濾過室Ｓ内に侵入することを抑制できる。
【００４７】
また、上述のようにエレメント用溶着部Ｗ１を設ける場合、下部ケース部材３（又は上部ケース部材２）のエレメント４の外端部と接触する表面側（好ましくは、ケース部材の突合せ端部の先端外角側）には切欠部２１が設けられており、この切欠部２１の空間内にはエレメント４の外端部の一部が配設されており、少なくともエレメント４の外端部の一部が上記エレメント用溶着部Ｗ１を構成していることが好ましい。これにより、エレメント４の外端部がケース部材の角部に引っ掛ってエレメント４の抜けをより確実に抑制できる。
【００４８】
さらに、上述のようにエレメント用溶着部Ｗ１を設ける場合、レーザ透過性樹脂からなる上部ケース部材２（又は下部ケース部材３）が、突合せ方向に沿って延び且つレーザ吸収性樹脂からなる下部ケース部材３（又は上部ケース部材２）の突合せ端部３ａ（又は突合せ端部２ａ）に当接する外壁部２２を有し、この外壁部２２と下部ケース部材３の突合せ端部３ａとの当接部に、外壁部２２を介して下部ケース部材３の突合せ端部３ａの外側面に向かって側方から照射されるレーザ光Ｌ２によるケース用溶着部Ｗ２を設けるようにしてもよい。これにより、上記エレメント用溶着部Ｗ１によって下部ケース部材３及びエレメント４が溶着されると共に、ケース用溶着部Ｗ２によって上部ケース部材２及び下部ケース部材３が溶着される。従って、上部ケース部材２、下部ケース部材３及びエレメント４の３部材を強固に一体化できる。
なお、エレメントの抜け止め形態、並びに上部ケース部材及び下部ケース部材の固定形態は上記レーザ溶着に限られず、例えば、各種固定手段（ビス、ネジ等）による固定、接着剤による接着、振動溶着、超音波溶着等を採用することができる。
【産業上の利用可能性】
【００４９】
汚染流体を濾過するフィルタとして利用される。特に、車両の自動変速機用オイルフィルタとして好適に利用される。
【図面の簡単な説明】
【００５０】
【図１】本実施例に係るフィルタの全体斜視図である。
【図２】実施例１に係るフィルタの縦断面図である。
【図３】図２のＩＩＩ−ＩＩＩ線断面図である。
【図４】図２のＩＶ−ＩＶ線断面図である。
【図５】実施例２に係るフィルタの縦断面図である。
【図６】図５のＶＩ−ＶＩ線断面図である。
【図７】図５のＶＩＩ−ＶＩＩ線断面図である。
【図８】邪魔板の他の形態を示す縦断面図である。
【図９】実施例３に係るフィルタの縦断面図である。
【図１０】図９のＸ−Ｘ線断面図である。
【図１１】図９のＸＩ−ＸＩ線断面図である。
【図１２】実施例４に係るフィルタの縦断面図である。
【図１３】図１２のＸＩＩＩ−ＸＩＩＩ線断面図である。
【図１４】図１２のＸＩＶ−ＸＩＶ線断面図である。
【図１５】フィルタの他の形態を示す分解斜視図である。
【図１６】図１５の要部断面図である。
【図１７】フィルタの更に他の形態を説明するための説明図である。
【図１８】フィルタの更に他の形態を説明するための説明図である。
【符号の説明】
【００５１】
１Ａ〜１Ｄ；フィルタ、２；上部ケース部材、３下部ケース部材、４；エレメント、５；流入口、６；流出口、８，９；凸状部、１０；案内溝、１１，１２；邪魔板、１３，１４；隆起部、１５；案内溝、１７，１８；隆起部、１９；案内片、２０；くし歯状部、Ｓ；濾過室。
【図１】
2007152233.tif 000003
【図２】
2007152233.tif 000004
【図３】
2007152233.tif 000005
【図４】
2007152233.tif 000006
【図５】
2007152233.tif 000007
【図６】
2007152233.tif 000008
【図７】
2007152233.tif 000009
【図８】
2007152233.tif 000010
【図９】
2007152233.tif 000011
【図１０】
2007152233.tif 000012
【図１１】
2007152233.tif 000013
【図１２】
2007152233.tif 000014
【図１３】
2007152233.tif 000015
【図１４】
2007152233.tif 000016
【図１５】
2007152233.tif 000017
【図１６】
2007152233.tif 000018
【図１７】
2007152233.tif 000019
【図１８】
2007152233.tif 000020